【手続補正書】
【提出日】平成29年4月25日(2017.4.25)
【手続補正１】
【補正対象書類名】明細書
【補正対象項目名】発明の名称
【補正方法】変更
【補正の内容】
【発明の名称】シート積載装置、画像形成システム及び装置
【手続補正２】
【補正対象書類名】明細書
【補正対象項目名】０００１
【補正方法】変更
【補正の内容】
【０００１】
本発明は、シートの積載制御に関する。
【手続補正３】
【補正対象書類名】明細書
【補正対象項目名】０００９
【補正方法】変更
【補正の内容】
【０００９】
本発明は上記従来技術の問題を解決するためになされたものであり、その目的は、積載トレイが下降不能となってジョブが中断しても、積載トレイの上昇駆動の試みによりジョブ再開の決定を可能にすることにある。
【手続補正４】
【補正対象書類名】明細書
【補正対象項目名】００１０
【補正方法】変更
【補正の内容】
【００１０】
上記目的を達成するために本発明は、画像形成装置から受け取ったシートが積載されるシート積載装置であって、昇降可能に構成され、シートが積載される積載トレイと、前記積載トレイを昇降するよう駆動する駆動手段と、前記積載トレイの昇降状態を判定する判定手段と、前記積載トレイを下降させるように前記駆動手段を制御しているときに前記積載トレイが下降していないと前記判定手段が判定した場合は、ジョブを中断すべき旨を前記画像形成装置に通知するとともに、前記積載トレイを上昇させるように前記駆動手段を制御し、前記積載トレイが上昇することを前記判定手段が判定すると、前記ジョブの再開を前記画像形成装置に通知する制御手段と、を有することを特徴とする。
【手続補正５】
【補正対象書類名】明細書
【補正対象項目名】００１１
【補正方法】変更
【補正の内容】
【００１１】
本発明によれば、積載トレイが下降不能となってジョブが中断しても、積載トレイの上昇駆動の試みによりジョブ再開の決定を可能にすることができる。
【手続補正６】
【補正対象書類名】特許請求の範囲
【補正対象項目名】全文
【補正方法】変更
【補正の内容】
【特許請求の範囲】
【請求項１】
画像形成装置から受け取ったシートが積載されるシート積載装置であって、
昇降可能に構成され、シートが積載される積載トレイと、
前記積載トレイを昇降するよう駆動する駆動手段と、
前記積載トレイの昇降状態を判定する判定手段と、
前記積載トレイを下降させるように前記駆動手段を制御しているときに前記積載トレイが下降していないと前記判定手段が判定した場合は、ジョブを中断すべき旨を前記画像形成装置に通知するとともに、前記積載トレイを上昇させるように前記駆動手段を制御し、前記積載トレイが上昇することを前記判定手段が判定すると、前記ジョブの再開を前記画像形成装置に通知する制御手段と、
を有することを特徴とするシート積載装置。
【請求項２】
前記制御手段は、前記積載トレイが下降しないことを前記判定手段が判定した後に前記積載トレイを上昇させるように前記駆動手段を制御した場合において、前記積載トレイが上昇しないことを前記判定手段が判定すると、前記駆動手段に異常が有る旨を前記画像形成装置に通知することを特徴とする請求項１に記載のシート積載装置。
【請求項３】
前記積載トレイに積載されたシートの上面位置を検知する第１の検知手段を有し、
前記制御手段は、前記積載トレイが下降しないことを前記判定手段が判定し、その後に前記積載トレイを上昇させるように前記駆動手段の制御を開始した後、前記積載トレイが上昇しないと前記判定手段により判定されることなく、前記シートの上面位置が所定高さに達したことが前記第１の検知手段により検知された場合は、前記ジョブの再開を前記画像形成装置へ通知することを特徴とする請求項１または２に記載のシート積載装置。
【請求項４】
前記制御手段は、前記積載トレイが下降しないことを前記判定手段が判定し、その後に前記積載トレイを上昇させるように前記駆動手段の制御を開始した後、前記シートの上面位置が前記所定高さに達したことが前記第１の検知手段により検知される前に、前記積載トレイが上昇しないと前記判定手段により判定された場合は、前記駆動手段に異常が有る旨を前記画像形成装置に通知することを特徴とする請求項３に記載のシート積載装置。
【請求項５】
前記積載トレイ上におけるシートの有無を検知する第２の検知手段を有し、
前記制御手段は、前記積載トレイが下降しないことを前記判定手段が判定し、その後に前記積載トレイに前記シートが無くなったことが前記第２の検知手段により検知されると、前記積載トレイを上昇させるように前記駆動手段の制御を開始することを特徴とする請求項３または４に記載のシート積載装置。
【請求項６】
前記積載トレイの下降位置が所定位置を下回ったことを検知する第３の検知手段を有し、
前記制御手段は、前記第３の検知手段により、前記積載トレイの下降位置が前記所定位置を下回ったことが検知された場合は、前記ジョブを中断すべき旨を前記画像形成装置に通知することを特徴とする請求項１〜５のいずれか１項に記載のシート積載装置。
【請求項７】
前記制御手段は、前記積載トレイが下降しないことを前記判定手段が判定し、ジョブを中断すべき旨を前記画像形成装置に通知した後に、前記画像形成装置から前記ジョブが中断された旨の通知を受けると、前記積載トレイを上昇させるように前記駆動手段の制御を開始することを特徴とする請求項１〜６のいずれか１項に記載のシート積載装置。
【請求項８】
前記判定手段は、前記積載トレイを下降させるように前記制御手段が前記駆動手段を制御しているにもかかわらず前記積載トレイが所定時間以上継続して移動しない場合に、前記積載トレイが下降していないと判定することを特徴とする請求項１〜７のいずれか１項に記載のシート積載装置。
【請求項９】
前記判定手段は、前記積載トレイが下降しないことを判定した後に前記積載トレイを上昇させるように前記制御手段が前記駆動手段を制御しているにもかかわらず前記積載トレイが所定時間以上継続して上昇しない場合に、前記積載トレイが上昇しないと判定することを特徴とする請求項１〜８のいずれか１項に記載のシート積載装置。
【請求項１０】
前記判定手段は、前記積載トレイが下降しないことを判定した後に前記積載トレイを上昇させるように前記制御手段が前記駆動手段の制御を開始した後、前記積載トレイが所定量上昇すると、前記積載トレイが上昇したと判定することを特徴とする請求項１〜９のいずれか1項に記載のシート積載装置。
【請求項１１】
前記制御手段は、前記ジョブを中断すべき旨を前記画像形成装置に通知する場合に、前記積載トレイの下方から異物を除去することを促すための通知を併せて行うことを特徴とする請求項１〜１０のいずれか１項に記載のシート積載装置。
【請求項１２】
前記制御手段は、前記ジョブの再開を通知する際に、前記駆動手段に異常が無い旨を前記画像形成装置に通知することを特徴とする請求項１〜１１のいずれか１項に記載のシート積載装置。
【請求項１３】
請求項１〜１２のいずれか１項に記載のシート積載装置と、前記シート積載装置を通信可能に接続し、画像形成を行ったシートを前記シート積載装置に排出する画像形成装置とを備えることを特徴とする画像形成システム。
【請求項１４】
入力されたジョブに基づいてシートに画像を形成する画像形成手段と、
昇降可能に構成され、前記画像形成手段により画像が形成されたシートが積載される積載トレイと、
前記積載トレイを昇降するように駆動する駆動手段と、
前記積載トレイの昇降状態を判定する判定手段と、
情報を表示する表示手段と、
前記積載トレイを下降させるように前記駆動手段を制御しているときに前記積載トレイが下降していないと前記判定手段が判定した場合に、前記ジョブを中断させるとともに、前記積載トレイを上昇させるように前記駆動手段を制御し、前記積載トレイが上昇することを前記判定手段が判定すると、前記積載トレイの下に異物が有るか否かの確認を促す画面を前記表示手段に表示する制御手段と、
を有することを特徴とする画像形成装置。